(57)【要約】【課題】従来からあるシートベルトは事故防止のために安全に走行するために装着するべきシートベルトであるがシートベルトも装着せず乗車して走行する人が多い昨今でそこで発明したのが安全ベルトである。【解決手段】そこで発明したのがシートベルトを必ず装着しなければエンジンをかけることも車を走らせることも出来なくした安全ベルトである。【選択図】図１
2005119624.tif 000002
【特許請求の範囲】
【請求項１】
座席の下にソケットスイッチを内蔵した装置。
【請求項２】
シートベルト留め金ボックスの内に装置したソケットスイッチ。
【請求項３】
座席とシートベルト留め金ボックスとを装置をつなぐ配線。
【発明の詳細な説明】
【技術分野】
【０００１】（図１）に示した運転席の座席の下に取り付けた８の座席板に組み込んだ３、５のオスソケットと１３の装置内臓ボックスに組み込んだ２、６のメスソケットを装置したもので８の座席板に座ることにより８の座席板が下に下がり１３の装置内臓ボックスに組み込んだ１４のメスソケットに入りスイッチが入れられて２８の装置内臓ボックスに組み込んだ１４のメスソケットを電気が流れて４４のシートベルト留め金ボックスに内蔵した３３のメスソケット、３４のオスソケット、３６のオスソケット、３７のメスソケット、３８のコードを通って６０のキー（鍵）ボックスへと電気が流れる。助手席の装置については２８の座席板に組み込んだ２３、２５のオスソケットと３２の装置内臓ボックスに組み込んだ１４、２６のメスソケットと２０のメスソケットを組み込んだ装置で２８の座席板に座ることにより３２の装置内蔵ボックスに組み込んだ１６、２１のオスソケットと２０のソケットボックスに組み込んだ１７、１９のメスソケットが離れてスイッチが切れると同時に２８の座席板に組み込んだ２３、２５のオスソケットと３２の装置内臓ボックスに組み込んだ１４、２６のメスソケットにスイッチが入り２６のメスソケット、２７のコードを通り、５８のシートベルト留め金ボックスに装置したソケットスイッチを通り、５８のシートベルト留め金ボックスに装置した４６のメスソケット、４７のオスソケット、４９のオスソケット、５０のメスソケット、５１のコード、４４のシートベルト留め金ボックスに内蔵した３３のメスソケットを通して６０のキー（鍵）ボックスへと電気が流れる。４４のシートベルト留め金ボックス５８のシートベルト留め金ボックスに内蔵した装置は同じで４４のシートベルト留め金ボックスについて説明する。４４のシートベルト留め金ボックスに内蔵した装置３９のソケット組み込み板に組み込んだオスソケットと４４のシートベルト留め金ボックスのなかに組み込んだたメスソケットが４５のオスソケットを４４のシートベルト留め金ボックスに差し込むことにより３９ソケット組み込み板が下がりオスソケットメスソケットが入り６０のキー（鍵）ボックスへと電気を流す。
【背景技術】
【０００２】  本発明の安全ベルトは座席に座りシートベルトを必ず装着しなければ自動車のエンジンを始動させることが出来ない装置で（図２）（図３）（図４）（図５）の断面図により詳細に説明する。【０００３】（図２）図−Ａ
１３の装置内臓ボックスに２のメスソケット６のメスソケットを組み込み１１の芯棒通し穴を設け８のオスソケット組み込み座席に９の芯棒を取り付けて１０のバネの中に９の芯棒を通し１１の芯棒通し穴に９の芯棒を通し８のソケット組み込み座席板に組み込んだ３オスソケット５のオスソケットを組み込み３のオスソケットと５のオスソケットを４のコードでつなぐ１３の装置内臓ボックスに組み込んだ２のメスソケット６のメスソケットを取り付けて８のソケット組み込み座席板と１３の装置内臓ボックスに組み込んだ２メスソケット６のメスソケットが接触しないように８のソケット組み込み座席板と１３の装置内臓ボックスとの間に１０のバネを入れて空間を作る５９のバッテリーから１のコードと２のメスソケットにつなぐ６のメスソケットと７のコードをつなぎ（図３）図−Ｃの１４のメスソケットに７のコードをつなぐ。【０００４】（図２）図−Ｂ
８のソケット組み込み座席板に座ることにより８の座席板が１３の装置内臓ボックスとの間に入れた９の芯棒と１０のバネが押し下げられて９の芯棒は１１の芯棒通し穴を通り下に下がり下がると同時に８の座席板に組み込んだ３オスソケット５オスソケット１３の装置内臓ボックスに組み込んだ２メスソケット６のメスソケットが入りスイッチが入れられて７のコードを通して（図３）図−Ｃの３２装置内臓ボックスに組み込んである１４メスソケットへと電気を流し３２装置内臟ボックスに組み込んだ１４メスソケット、１５コード、１６オスソケット、２０ソケット組み込み板に組み込んだ１７メスソケット、１８コード、１９メスソケット，３２装置内臓ボックスに組み込んだ２１オスソケット、２２のコードを通して４４のシートベルト留め金ボックスに内蔵した３３のメスソケットへと電気が流れて４４の中に組み込んだ３９のソケット組み込み板に組み込んだ３４のオスソケット、３５のコード、３６のオスソケットが４５のシートベルト差し込み金具４４シートベルト留め金ボックスに差し込むことにより３９のソケット組み込み板が押し下げられることにより４４の装置内臓ボックスに組み込んだ３７のメスソケット、３３、３７のメスソケットと３４、３６のオスソケットが入り３８のコードを通して６０のキー（鍵）ボックスへと電気が流れてそこで初めてエンジンを始動させることが出来る。【０００５】（図３）図−Ｃ
３２装置内蔵ボックスに１４メスソケット、１６オスソケット、２６のオスソケットを組み込み３２装置内蔵ボックスの下に２０のソケット組み込み板を２８の装置内蔵座席板とを２９の芯棒で固定して２０のソケット組み込み板に１７のメスソケット、１９のメスソケットを組み込み１８のコードで１７メスソケット、１９メスソケットをつなぐ２８の装置内蔵座席板に組み込んだ２３のオスソケット、２５のオスソケット２４のコードで２３のオスソケットと２５のオスソケットをつなぐコードである。２８の装置内蔵座席板に２９の芯棒を取り付け２０のソケット組み込み板とを２９の芯棒で固定して取り付ける。３０バネ２８の装置内蔵座席板と３２装置内蔵ボックスの間に置くバネで２８の装置内蔵座席板に取り付けた２９の芯棒を３０のバネに通し３１の芯棒通し穴の中に２９の芯棒を入れる。【０００６】（図３）図−Ｃは助手席に人を乗せていないときの断面図で（図２）図−Ｂに示したように８の装置内蔵座席板に運転手が座ることにより２、６のメスソケットに３、５のオスソケットが入り、スイッチが入れられて５９のバッテリー、１コード、２のメスソケット、３オスソケット、４コード、６オスソケット、６のメスソケット、７のコードを３２装置内蔵ボックスに組み込んだ１４のメスソケットにつなぎ１４のメスソケット１５コード、１６のオスソケット、２０ソケット組み込み板に組み込んだ１７のメスソケット１８のコード、１９のメスソケット１８のコード、１９のメスソケット２１のオスソケット２２のコードを通し４４のシートベルト留め金ボックスの中に組み込んだ３３のメスソケットへと電気を流し４４のシート１７ベルト留め金ボックスの中に組み込んだ３３のメスソケット３７のソケット組み込み板に組み込んだ３４オスソケット３５コード３６オスソケットで３８はコード４４のシートベルト留め金ボックスに４５のシートベルト差し込み金具を差し込むことにより３９のソケット組み込み板が下に押し下げられて３３、３７のメスソケットに３４、３６のオスソケットが入りスイッチが入れられて６０のキー（鍵）ボックスの順に電気が流れてエンジンを始動させることが出来る。【０００７】（図３）図−Ｄ
３２装置内蔵ボックスに組み込んだ１４メスソケット１６オスソケット２６メスソケット３２装置内蔵ボックスの下にある２０のソケット組み込み板の中に組み込んだ１７のメスソケット１９のメスソケットが２８の装置内蔵座席板に組み込んだ２３オスソケット２５オスソケットが２８の座席板に座ることにより２８の座席板に取り付けた２９の芯棒と３０のバネが押し下げられて１４，２６のメスソケットに２３、２５のオスソケットが入ると同時に１７、１９のメスソケットが１６、２１のオスソケットがはずれてスイッチが切られて４４のシートベルト留め金ボックスの中に組み込んだ３３のメスソケットへと電気が流れなくなり２８の装置内臓座席板の２３，２５のオスソケットが装置内臓ボックスに組み込んだ１４、２６のメスソケットに入りスイッチが入り２７のコードを通して（図５）図−Ｇの５８のシートベルト留め金ボックスの中に組み込んだ４６、５０のメスソケットと５２のソケット組み込み板に組み込んだ４７，４９のオスソケットが５７のシートベルト差し込み金具を５８のシートベルト留め金ボックスに差し込むことにより４６、５０のメスソケットに４７、４９のオスソケットが差し込まれてスイッチが入り５１のコードを通して４４のシートベルト留め金ボックスの中に組み込んだ３３のメスソケットを通り４４のシートベルト留め金ボックスの中に組み込んだ３３メスソケット３４オスソケット３５コード３６オスソケット３７メスソケット３８コードを通り６０のキー（鍵）ボックスの順に電気を流すことによりエンジンを始動させることが出来る。【０００８】（図４）図−Ｅ
４４のシートベルト留め金ボックス内に３９のソケットスイッチ板に３４のオスソケット３６のオスソケット３４、３６をつなぐコードを組み込み４４のシートベルト留め金ボックス内に３３のメスソケット３７のメスソケットと３９のソケット板に４１の芯棒を取り付けて４２のバネの中を４１の芯棒を通し４３の芯棒通し穴に通す。【０００９】（図４）図−Ｆ
４４のシートベルト留め金ボックスに４５のシートベルト差し込み金具を差し込むことにより３９のソケット組み込み板が下に押し下げられて３３のメスソケットに３４のオスソケットが入りスイッチが入り２２から流れてきた電気が３３のメスソケット３４オスソケット３５コード３６オスソケット３７のメスソケット３８のコードの順に電気が流れて６０キー（鍵）ボックスへと電気が流れることにより安全ベルトを必ず装着しなければエンジンをかけることも始動させることも出来ない。【００１０】（図５）図−Ｇ
（図５）図−Ｈ
は（図４）図−Ｅ，図−Ｆの構造と同じで電気の流れが違うだけで７のコードから１４のメスソケット２３のオスソケット２４コードを２５のオスソケット２６のメスソケット２７のコードの順に電気が流れ５８のシートベルト留め金ボックスに５７のシートベルト差し込み金具を差し込むことにより５２のソケット組み込み板が押し下げられて４６のメスソケット、５０のメスソケットに４７のオスソケット４９のオスソケットが差し込まれてスイッチが入り２７コードから流れてきた電気が４６のメスソケット４７のオスソケット５０のメスソケット５１のコードの順に電気が流れて４４のシートベルト留め金ボックスに内蔵した３３のメスソケットに５１のコードをつなぐことにより助手席に座った人が必ずシートベルト安全ベルトを装着しなければエンジンをかけることも始動することも出来ない安全ベルトである。
【特許文献１】芦森工業株式会社、ＷＩＬＬＡＮＳ（ウイランズ）、Ｓａｂｅｌｔ（サベルト）
【非特許文献１】会社などの数多く製造されているシートベルトがあるが本発明の安全ベルトは座席下に切り替えスイッチとシートベルト留め金ボックス内に切り替えスイッチを内蔵した安全ベルトである。
【発明の開示】
【発明が解決しようとする課題】
【００１１】従来シートベルトは必ず装着して乗車することが法律で義務付けられているにもかかわらず装着しないまま乗車、運転する人がいまだにある現在シートベルトを装着しなければエンジンがかけられないようにするための装置はないものかと発明したのが安全ベルトである。シートベルトと座席を一体化して組み込んだ装置が安全ベルトである。【００１２】以上述べたように従来あるシートベルトは乗車するときに必ず装着しなければいけないにもかかわらずシートベルトを装着しないで乗車することがあり必ずシートベルトを装着しなければエンジンを始動させることが出来ないようにするために８、１３の装置内蔵ボックスの切り替えスイッチと４４のシートベルト留め金ボックスに組み込んだ切り替えスイッチにより４５のシートベルト差し込み金具を４４シートベルト留め金ボックスに差し込み装着しなければエンジンを始動させることが出来ないようにした安全ベルトにした。【００１３】２８の座席板に内臓装置したスイッチと３２の装置を内蔵したボックスと５８のシートベルト留め金ボックスに内蔵した切り替えスイッチに５７の差込金具を６８のシートベルト留め金ボックスに差し込まなければエンジンを始動させることが出来なくした安全ベルトである。
【課題を解決するための手段】
【００１４】本発明は上記の目的を達成するために８の座席板に３のオスソケット５のオスソケットを取り付け３のオスソケットと５のオスソケットを４のコードでつなぎ１３の装置内蔵ボックス内に２のメスソケット６のメスソケットを組み込み８の座席板に座ることにより８の座席板に取り付けた９の芯棒と１０のバネが下に押し下げられて２のメスソケット６のメスソケットに３のオスソケット５のオスソケットが入りそこでスイッチが入り４４のシートベルト留め金ボックス内に組み込んだ３９ソケット取り付け板に３４のオスソケット３５のオスソケット３４のコードでつなぎ４４のシートベルト留め金ボックス内に組み込んだ３３のメスソケットが４４のシートベルト留め金ボックスに４５のシートベルト差し込み金具を差し込むことにより３９のソケット取り付け盤が下に押し下げられて３３のメスソケット３７のメスソケットに３４のオスソケット３６のオスソケットが入リスイッチが入れられて１、２、３、４、５、６、７の順に電気が流れて（図３）図−Ｃに示した３２の装置内蔵ボックスに組み込んだ１４メスソケット１５コード１６のオスソケット２０のソケット組み込みボックスに組み込んだ１７メスソケット１８コード１９メスソケット２１のオスソケット２２のコードを通して４４のシートベルト留め金ボックスに内蔵した３３のメスソケット３４のオスソケット３５のコード３６のオスソケット３７のメスソケット３８のコードの順に電気を流して６０のキー（鍵）ボックスに電気が流れるようにした安全ベルトである。【００１５】以上は運転席の装置であって次は助手席の装置で３２の装置内蔵ボックスに組み込んだ１４のメスソケット１５コード１６のオスソケット２１のオスソケット２０のソケット組み込みボックスに組み込んだ１７のメスソケット１８のコード１９のメスソケットが組み込まれているもので３２の装置内蔵ボックスの上に２８の座席板に組み込んだ２３のオスソケット２４のコード２５のオスソケットと４２のバネ支え芯棒４１を取り付け２８の座席に乗車していないときには７のコード１４メスソケット１５のコード１６のオスソケット１７のメスソケット１８のコード１９のメスソケット２１のオスソケット２２のコードの順に電気を流して４４のシートベルト内に組み込んだ３３のメスソケット３４のオスソケット３５のコード３６のオスソケット３７のメスソケット３８のコードを通して６０のキー（鍵）ボックスへと電気を流すようにした装置である。【００１６】次は助手席に乗車して座席に座ったときには２８の座席板に取り付けた４２のバネが押し下げられて２８の座席板に取り付けた４１の芯棒と２３のオスソケット２５のオスソケットが下に押し下げられると同時に２０のソケット組み込みボックスと４１の芯棒も下に下がり１６のオスソケット２１のオスソケットと１７のメスソケット１９のメスソケットがはずれて２２のコードを流れる電気が４４のシートベルト留め金ボックスに組み込んだ３３のメスソケットへ流ないようにした２８の座席板に取り付けた２３のオスソケット、２５のオスソケット、３２の装置内蔵ボックスに組み込んだ１４のメスソケット、２６のメスソケットが入り、２７のコードを通して５８のシートベルト留め金ボックスに５７のシートベルト差し込み金具を差し込むことにより５２のソケット組み込み板が下に押し下げられて５２のソケット組み込み板に取り付けた４７のオスソケット４９のオスソケットが４６のメスソケット５０のメスソケットに入り５１のコードを通して４４のシートベルト留め金ボックス内に組み込んだ３３のメスソケット３４のオスソケット３５のコード３６のオスソケット３５のコード３６のオスソケット３７のメスソケット３８のコードの順に電気が流れて６０のキー（鍵）ボックスへと電気が流れてエンジンを始動させることが出来るのである。
【発明の効果】
【００１７】以上述べたように本発明は座席に座りシートベルトを装着しなければエンジンをかけることが出来ないようにした安全ベルトである。【００１８】運転席においては座席の下に切り替えスイッチを内蔵した装置を配置して座席に座ることによりスイッチが入ると同時にシートベルトを必ず装着しなければエンジンを始動させることが出来ないようにした。【００１９】助手席においては座席に座ることにより運転席のシートベルトに流れている電気が切れて助手席に乗車した人が必ずシートベルトを装着しなければ運転席側のシートベルトに電気が流れないので助手席のシートベルトを必ず装着しなければエンジンを始動させることが出来ないようにした装置で事故を防ぎ盗難にも役立つ安全ベルトである。
【図面の簡単な説明】
【００２０】
【図１】装置平面図
【図２】同座席Ａの断面図  同座席Ｂの断面図
【図３】同座席Ｃの断面図  同座席Ｄの断面図
【図４】同シートベルト留め金ボックス−Ｅ断面図  同シートベルト留め金ボックス−Ｆ断面図
【図５】同シートベルト留め金ボックス−Ｇ断面図  同シートベルト留め金ボックス−Ｈ断面図
【符号の説明】
【００２１】１．  バッテリーとソケットスイッチをつなぐコード
２．  メスソケットスイッチ
３．  オスソケットスイッチ
４．  スイッチとスイッチをつなぐコード
５．  オスソケットスイッチ
６．  メスソケットスイッチ
７．  ソケットスイッチとソケットスイッチをつなぐコード
８．  オスソケットを組み込んだ座席板
９．
１０．バネ
１１．芯棒を通す穴
１２．芯棒を固定する固定板
１３．装置を内蔵した本体ボックス
１４．メスソケットスイッチ
１５．オスソケットスイッチ
１６．オスソケットスイッチ
１７．メスソケットスイッチ
１８．ソケットスイッチをつなぐコード
１９．メスソケットスイッチ
２０．メスソケットを組み込んだボックス板
２１．オスソケットスイッチ
２２．本体に内蔵したスイッチとシートベルト留め金ボックスに組み込んだスイッチをつなぐコード
２３．オスソケットスイッチ
２４．ソケットスイッチをつなぐコード
２５．オスソケットスイッチ
２６．メスソケットスイッチ
２７．ソケットスイッチをつなぐコード
２８．オスソケットを組み込んだ座席板
２９．座席板に取り付けたバネを支える芯棒
３０．バネ
３１．芯棒を通す穴
３２．装置を内蔵した本体ボックス
３３．シートベルト留め金ボックスに組み込んだメスソケット
３４．ソケット組み込み板に組み込んだオスソケット
３５．ソケットスイッチをつなぐコード
３６．シートベルト留め金ボックスに組み込んだオスソケット
３７．シートベルト留め金ボックスに組み込んだメスソケット
３８．ソケットスイッチをつなぐコード
３９．ソケットを組み込んだソケット板
４０．
４１．ソケット組み込み板に取り付けたバネを支える芯棒
４２．バネ
４３．芯棒を通す穴
４４．シートベルト留め金ボックス本体
４５．シートベルト差し込み金具
４６．シートベルト留め金ボックスに組み込んだメスソケットスイッチ
４７．オスソケットスイッチ
４８．ソケットスイッチをつなぐコード
４９．オスソケットスイッチ
５０．メスソケットスイッチ
５１．ソケットスイッチをつなぐコード
５２．ソケットを組み込んだソケット板
５３．
５４．ソケット板に取り付けたバネを支える芯棒
５５．バネ
５６．芯棒を通す穴
５７．シートベルト差し込み金具
５８．シートベルト留め金ボックス本体
５９．バッテリー
６０．キー（鍵）ボックス
【図１】
2005119624.tif 000003
【図２】
2005119624.tif 000004
【図３】
2005119624.tif 000005
【図４】
2005119624.tif 000006
【図５】
2005119624.tif 000007